(57)【要約】【課題】組立時に落下しにくいスラストころ軸受を提供する。【解決手段】スラストころ軸受１は、放射状に配置された複数のころ５と、複数のころ５を転動可能に保持する環状の保持器４と、複数のころ５が転動する軌道面２ａ，３ａが形成された環状の軌道部２１，３１、及び保持器４を係止して軌道面２ａ，３ａから離間する方向の保持器４の移動を規制する係止突起２３，３３を備えたアウタレース２及びインナレース３と、軌道部２１，３１の軌道面２ａ，３ａと反対側の面である背面２ｂに、該背面２ｂの少なくとも一部を覆うように設けられた油浸透性の樹脂膜６と、を備えた。【選択図】図１
2016200266.tif 000002
【特許請求の範囲】
【請求項１】
放射状に配置された複数のころと、
前記複数のころを転動可能に保持する環状の保持器と、
前記複数のころが転動する軌道面が形成された環状の軌道部、及び前記保持器を係止して前記軌道面から離間する方向の前記保持器の移動を規制する係止部を備えた軌道輪と、
前記軌道部の前記軌道面と反対側の面である背面に、該背面の少なくとも一部を覆うように設けられた油浸透性の樹脂膜と、を備えた、
スラストころ軸受。
【請求項２】
前記樹脂膜は、前記背面の全周にわたって設けられる、
請求項１に記載のスラストころ軸受。
【請求項３】
前記樹脂膜の膜厚が、１００μｍ以下である、
請求項１又は２に記載のスラストころ軸受。
【発明の詳細な説明】
【技術分野】
【０００１】
本発明は、軌道輪の軌道面を転動する複数のころを保持器によって放射状に保持してなるスラストころ軸受に関する。
【背景技術】
【０００２】
スラストころ軸受は、放射状に配置された複数の円柱状の転動体（ころ）を備え、例えば車両のトランスミッションにおいて非回転部材と回転部材との間に介挿され、回転軸方向のスラスト力を受けながら回転部材の回転を円滑にするために用いられる（例えば、特許文献１参照）。
【０００３】
特許文献１に記載のスラストころ軸受は、環状に形成されたインナレース（内輪）及びアウタレース（外輪）と、両レース間に放射状に配置された複数のころと、複数のころを保持する保持器とを備え、インナレースの内側端部からアウタレース側に折曲形成された内円筒部と保持器の内周部とが嵌め合わされると共に、アウタレースの外側端部からインナレース側に折曲形成された外円筒部と保持器の外周部とが嵌め合わされている。
【０００４】
インナレースの内円筒部の先端部には、径方向外方へ折曲形成された環状突片が形成され、この環状突片が保持器の内周側端部を係止（係り合って止めること）することにより、インナレースに対する保持器の軸方向移動が規制されている。また、アウタレースの外円筒部の先端部には、径方向内方へ折曲形成された環状突片が形成され、この環状突片が保持器の外周側端部を係止することにより、アウタレースに対する保持器の軸方向移動が規制されている。
【０００５】
ところで、例えばオートマチックトランスミッション等のトランスミッションを組み立てる際には、回転軸（主軸）を鉛直方向に沿うように配置し、各構成部材を鉛直方向上方から順次組み付ける組立方法がとられる場合がある。
【０００６】
このような組立方法を実施するにあたって、ハウジング等の任意の構成部材の下面にスラストころ軸受を接着固定した状態で、構成部材を組み付ける場合がある。
【０００７】
従来、スラストころ軸受をハウジング等の部材の下面に接着固定する際には、グリースを用い、グリースの表面張力によりスラストころ軸受を接着固定していた。
【先行技術文献】
【特許文献】
【０００８】
【特許文献１】特開２００７−１１３６２８号公報
【発明の概要】
【発明が解決しようとする課題】
【０００９】
しかしながら、従来のようにスラストころ軸受をグリースによって接着固定する場合、十分な接着力が得られずにトランスミッション等の組立時にスラストころ軸受が落下してしまう場合があった。組立時にスラストころ軸受が落下すると、スラストころ軸受の取付位置がずれる、あるいは組立時にスラストころ軸受を他の部材で挟み込んでしまうといった不具合が発生するおそれがあり、改善が望まれる。
【００１０】
なお、例えば接着剤等を用いてスラストころ軸受を強固に接着固定してしまうことも考えられるが、この場合、例えばスラストころ軸受の取付位置がずれた状態で接着固定され、スラストころ軸受が偏心した状態で使用され続けてしまうおそれがある。そのため、スラストころ軸受を組立時に強固に接着固定することは望ましくなく、組立後に多少の移動を許容しつつも、組立時に落下しにくいスラストころ軸受が望まれている。
【００１１】
そこで、本発明は、組立時に落下しにくいスラストころ軸受を提供することを目的とする。
【課題を解決するための手段】
【００１２】
本発明は、上記目的を達成するために、放射状に配置された複数のころと、前記複数のころを転動可能に保持する環状の保持器と、前記複数のころが転動する軌道面が形成された環状の軌道部、及び前記保持器を係止して前記軌道面から離間する方向の前記保持器の移動を規制する係止部を備えた軌道輪と、前記軌道部の前記軌道面と反対側の面である背面に、該背面の少なくとも一部を覆うように設けられた油浸透性の樹脂膜と、を備えた、スラストころ軸受を提供する。
【発明の効果】
【００１３】
本発明によれば、組立時に落下しにくいスラストころ軸受を提供できる。
【図面の簡単な説明】
【００１４】
【図１】本発明の一実施の形態に係るスラストころ軸受を示す図であり、（ａ）は回転軸Ｏを含む平面で切断した断面図、（ｂ）は（ａ）の一部拡大図である。
【図２】アウタレースを示す図であり、（ａ）はインナレース３側から見た平面図、（ｂ）はインナレース３と反対側から見た平面図である。
【図３】インナレースをアウタレース側から見た平面図である。
【図４】保持器をインナレース側から見た平面図である。
【図５】（ａ）〜（ｃ）は、スラストころ軸受をハウジングへの接着固定を説明する説明図である。
【発明を実施するための形態】
【００１５】
［実施の形態］
以下、本発明の実施の形態を、図面を参照して説明する。
【００１６】
（スラストころ軸受１の全体構成）
図１は、本実施の形態に係るスラストころ軸受１を示す図であり、（ａ）は回転軸Ｏを含む平面で切断した断面図、（ｂ）は（ａ）の一部拡大図である。
【００１７】
スラストころ軸受１は、外側の軌道輪としてのアウタレース２と、内側の軌道輪としてのインナレース３と、アウタレース２及びインナレース３の間に配置された保持器４と、保持器４に形成された保持孔４ａに転動可能に保持された複数の円柱状のころ５とを備えて構成されている。
【００１８】
このスラストころ軸受１は、例えば車両のトランスミッションに用いられ、インナレース３の内周側に挿通された軸状の回転部材と、アウタレース２に面したトランスミッションハウジングの支持部との間に介挿され、保持器４に保持された複数のころ５の転動により、軸方向のスラスト力を受けながら回転部材の回転を円滑にする。
【００１９】
（アウタレース２の構成）
図２は、アウタレース２を示す図であり、（ａ）はインナレース３側から見た平面図、（ｂ）はインナレース３と反対側から見た平面図である。
【００２０】
アウタレース２は、鋼板等の金属からなり、複数のころ５が転動する軌道面２ａが形成された環状の軌道部２１と、軌道部２１の外周端から軌道面２ａに直交して延出された短円筒状の外周壁部２２と、外周壁部２２の先端側（軌道面２ａとは反対側）の端部に設けられた係止部としての複数の係止突起２３とを一体に有している。軌道面２ａは、回転軸Ｏに対して直交する平面上にあり、後述するインナレース３の軌道面３ａに対向して配置される。
【００２１】
複数の係止突起２３は、アウタレース２の外周側の縁部における複数箇所に設けられ、外周壁部２２の内周面２２ａから径方向内側に向かって突出している。複数の係止突起２３は、保持器４を係止して軌道面２ａから離間する方向の保持器４の移動を規制する。それぞれの係止突起２３は、例えばステーキング（かしめ）によって、外周壁部２２の先端側の端部を内側に屈曲して形成されている。
【００２２】
本実施の形態では、４つの係止突起２３をアウタレース２の周方向に沿って等間隔（９０°ごと）に設けているが、係止突起２３の数はこれに限定されるものではない。なお、係止突起２３のそれぞれの形状及び突出量は共通である。保持器４がアウタレース２に対して軌道面２ａから離間する方向に移動すると、保持器４の外周側の端部が係止突起２３に当接し、保持器４のアウタレース２に対するさらなる軸方向の移動が抑止される。
【００２３】
本実施の形態では、軌道部２１の軌道面２ａと反対側の面である背面２ｂに、背面２ｂの少なくとも一部を覆うように設けられた油浸透性の樹脂膜６を備えている。樹脂膜６については後述する。
【００２４】
（インナレース３の構成）
図３は、インナレース３をアウタレース２側から見た平面図である。
【００２５】
インナレース３は、鋼板等の金属からなり、複数のころ５が転動する軌道面３ａが形成された環状の軌道部３１と、軌道部３１の内周端から軌道面３ａに直交して延出された短円筒状の内周壁部３２と、内周壁部３２の先端側（軌道面３ａとは反対側）の端部に設けられた係止部としての複数の係止突起３３とを一体に有している。軌道面３ａは、アウタレース２の軌道面２ａに平行となるように対向して配置される。
【００２６】
複数の係止突起３３は、インナレース３の内周側の縁部における複数箇所に設けられ、内周壁部３２の外周面３２ａから径方向外側に向かって突出している。複数の係止突起３３は、保持器４を係止して軌道面３ａから離間する方向の保持器４の移動を規制する。それぞれの係止突起３３は、例えばステーキング（かしめ）によって、内周壁部３２の先端側の端部を外側に屈曲して形成されている。
【００２７】
本実施の形態では、４つの係止突起３３をインナレース３の周方向に沿って等間隔（９０°ごと）に設けているが、係止突起３３の数はこれに限定されるものではない。なお、係止突起２３のそれぞれの形状及び突出量は共通である。保持器４がインナレース３に対して軌道面３ａから離間する方向に移動すると、保持器４の内周側の端部が係止突起３３に当接し、保持器４のインナレース３に対するさらなる軸方向の移動が抑止される。
【００２８】
（保持器４の構成）
図４は、保持器４をインナレース３側から見た平面図である。
【００２９】
保持器４は、複数のころ５を保持する複数の保持孔４ａの外側に形成された外側円環部４１と、保持孔４ａの内側に形成された内側円環部４２と、外側円環部４１と内側円環部４２とを径方向に連結する複数の柱部４３とを一体に備える。外側円環部４１及び内側円環部４２は同心状に形成されて対をなし、柱部４３と共に保持孔４ａを形成する。保持孔４ａは、保持器４の径方向に沿って長辺が延び、保持器４を厚さ方向（軸方向）貫通する長方形状の貫通孔である。
【００３０】
保持器４には、放射状に配置された複数のころ５を転動可能に保持するように、複数のころ５と同数の複数（本実施の形態では３９個）の保持孔４ａが放射状に形成されている。本実施の形態では、保持器４は、鋼板をプレス等によって打ち抜き及び屈曲して形成されている。
【００３１】
（樹脂膜６の説明）
図１および図２（ｂ）に示すように、樹脂膜６は、アウタレース２の背面２ｂに、背面２ｂの少なくとも一部を覆うように設けられている。ここでは、背面２ｂの全周にわたって背面２ｂの略全体を覆うように環状に樹脂膜６を設ける場合を示しているが、例えば、背面２ｂの円周方向における一部のみに樹脂膜６を設けるようにしても構わない。また、例えば回転軸Ｏを中心とした同心円状に離間して複数列の樹脂膜６を形成しても構わない。樹脂膜６の面積は、スラストころ軸受１の質量等を考慮し、スラストころ軸受１を十分に接着固定できる面積に設定される。
【００３２】
本実施の形態では、防錆油を樹脂膜６に浸潤させてスラストころ軸受１をトランスミッションのハウジング等に接着固定するため、樹脂膜６としては、多孔質で十分に防錆油を浸潤可能なものを用いることが望ましい。また、樹脂膜６が硬いと十分な接着効果が得られないおそれがあるため、樹脂膜６としては、柔らかく適度な弾性を有し、アウタレース２の背面２ｂを接着対象となるハウジング等の部材に密着させ易いものを用いることが望ましい。樹脂膜６としては、例えば、発泡ポリウレタン、発泡ポリプロピレン、発泡ポリエチレン等からなるものを用いることができる。
【００３３】
樹脂膜６をアウタレース２の背面２ｂに設ける方法は特に限定するものではないが、例えば、樹脂膜６を接着剤によりアウタレース２の背面２ｂに接着固定してもよいし、アウタレース２の背面２ｂに樹脂をコーティングして熱処理を行うことで樹脂膜６を形成してもよい。
【００３４】
樹脂膜６はトランスミッション等の組立時、すなわちスラストころ軸受１の組み付け時にスラストころ軸受１を接着固定するためのものであるから、組立後にトランスミッション等を実際に使用する中で摩耗しても構わない。このとき、樹脂膜６が厚すぎると樹脂膜６が摩耗した際の隙間が大きくなり、がたつきの原因となるおそれがあるため、樹脂膜６の膜厚は１００μｍ以下とすることが望ましい。なお、ここでいう樹脂膜６の膜厚とは、樹脂膜６を押し潰していない状態（スラストころ軸受１を接着する前の状態）での厚さであるが、スラストころ軸受１をハウジング等に接着した際の厚さ、すなわち樹脂膜６を押し潰した状態での厚さについても、少なくとも１００μｍ以下、より好ましくは５０μｍ以下とすることが望ましい。
【００３５】
摩耗等によりアウタレース２から脱落した樹脂膜６は、トランスミッションオイル等の潤滑油により回収され、ストレーナ等に捕集されることになる。この際に捕集される樹脂膜６の量を少なくするめにも、樹脂膜６の厚さをなるべく薄くすることが望ましいといえる。また、脱落した樹脂膜６がころ５等の他の部材に干渉して悪影響を与えないように、樹脂膜６としては、なるべく柔らかく摩耗を発生させにくいものを用いることが望ましい。
【００３６】
（スラストころ軸受１の組み付け）
図５（ａ）に示すように、スラストころ軸受１をトランスミッション等に組み付ける際には、まず、樹脂膜６に十分に防錆油７を浸潤させる。
【００３７】
その後、図５（ｂ），（ｃ）に示すように、樹脂膜６を接着対象の部材８側として、スラストころ軸受１を接着対象の部材８の下面に押し付け、接着させる。このとき、樹脂膜６に浸潤させた防錆油７の表面張力により、スラストころ軸受１が接着対象の部材８の下面に接着固定される。その後、スラストころ軸受１を接着固定した部材８の組み付け作業を行う。
【００３８】
なお、トランスミッション等では、内部に防錆油７を付着させた状態で出荷するのが一般的であり、本実施の形態では、その防錆油７を利用してスラストころ軸受１の接着固定を行っている。また、スラストころ軸受１を接着固定する際に必要となる防錆油７の量も少ないので、スラストころ軸受１の接着固定に起因してトランスミッションオイル等の潤滑油が劣化してしまうことを抑制できる。
【００３９】
（実施の形態の作用及び効果）
以上説明したように、本実施の形態に係るスラストころ軸受１では、軌道輪としてのアウタレース２における軌道部２１の背面２ｂに、背面２ｂの少なくとも一部を覆うように油浸透性の樹脂膜６を設けている。
【００４０】
これにより、防錆油７を樹脂膜６に浸潤させることで、この防錆油７の表面張力により、スラストころ軸受１を接着対象の部材８の下面に十分な接着強度で接着固定し、組立にスラストころ軸受１が落下してしまうことを抑制できる。その結果、トランスミッション等の組立作業が容易になり、作業効率および生産性が向上する。また、本実施の形態によれば、組立時にスラストころ軸受１を十分な接着強度で接着固定しつつも、組立後にスラストころ軸受１の移動を許容することが可能となり、スラストころ軸受１が偏心した状態で使用され続けてしまうといった不具合を抑制することが可能になる。
【００４１】
また、本実施の形態ではアウタレース２の背面２ｂの全周にわたって樹脂膜６を設けているため、スラストころ軸受１を接着対象の部材８の下面に確実に接着固定することが可能になる。
【００４２】
さらに、本実施の形態では、樹脂膜６を設けている面を接着対象の部材８の下面に接着するため、スラストころ軸受１を誤った取付方向で取り付けてしまうことを抑制できる。換言すれば、本実施の形態では、樹脂膜６を設けることにより、スラストころ軸受１の取付方向を容易に識別することが可能になり、スラストころ軸受１を誤った取付方向で取り付けてしまうことを抑制できる。
【００４３】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【００４４】
また、本発明は、その趣旨を逸脱しない範囲で適宜変形して実施することが可能である。例えば、上記実施の形態では、アウタレース２に樹脂膜６を設ける場合を説明したが、組立時にインナレース３側が上方に位置する場合、すなわちインナレース３を部材８の下面に接着固定する場合には、インナレース３に樹脂膜６を設けてもよい。
【符号の説明】
【００４５】
１…スラストころ軸受、２…アウタレース（軌道輪）、２ａ…軌道面、２ｂ…背面、３…インナレース（軌道輪）、３ａ…軌道面、４…保持器、４ａ…保持孔、５…ころ、６…樹脂膜、７…防錆油、８…部材（接着対象の部材）、２１，３１…軌道部、２２…外周壁部、２２ａ…内周面、２３，３３…係止突起（係止部）、３２…内周壁部、３２ａ…外周面、４１…外側円環部、４２…内側円環部、４３…柱部、Ｏ…回転軸
【図１】
2016200266.tif 000003
【図２】
2016200266.tif 000004
【図３】
2016200266.tif 000005
【図４】
2016200266.tif 000006
【図５】
2016200266.tif 000007